(57)【要約】【課題】情報確認後に有効利用できる隠蔽葉書などの情報所持体を提供する。【課題の解決手段】隠蔽葉書は、折り部５，６を介して連接された３枚の紙片２，３，４が、折り部５，６で折り重ねられ、折り重ね面の少なくとも周縁部分で剥離可能に接着されてなり、重ね合わせ面及び表出面には適宜な情報８，１５が表示されてなり、表出面を形成する２枚の紙片２，４には、折り部５，６とは反対側の端縁の上下一方の隅部に剥離開始部９，１１を設け、前記各端縁から剥離開始部９，１１が位置する上下一方端に向けて延びる互いに係脱可能に係止し得る切り込み１２，１３を形成したもので、重ね合わせ面の情報を確認後には、切り込み１２，１３同士を互いに係止することにより、三角筒状に組み立てて立てることができる。【選択図】図４
2010082947.tif 000002
【特許請求の範囲】
【請求項１】
折り部を介して連接された３枚以上の紙片が、前記折り部で折り重ねられ、重ね合わせ面の少なくとも周縁部分で剥離可能に接着されてなり、重ね合わせ面及び表出面には適宜な情報が表示されてなる情報所持体であって、表出面の情報には宛名情報と差出人情報が含まれる一方、表出面を有しない紙片表出面を形成する２枚の紙片には、折り部とは反対側の端縁の上下一方の隅部に剥離開始部を設け、前記各端縁から前記剥離開始部が位置する上下一方端に向けて延びる互いに係脱可能に係止し得る切り込みを形成したことを特徴とする情報所持体。
【発明の詳細な説明】
【技術分野】
【０００１】
本発明は、折り部を介して連接された３枚以上の紙片が、前記折り部で折り重ねられ、重ね合わせ面の少なくとも周縁部分で剥離可能に接着されてなり、重ね合わせ面及び表出面には適宜な情報が表示されてなる、隠蔽葉書や広告文書などの情報所持体に関する。
【背景技術】
【０００２】
従来からこの種の情報所持体は知られている（例えば、特許文献１）。
【０００３】
【特許文献１】特開２００５−１０４０１４号公報
【０００４】
従来の情報所持体は、剥離可能に接着された重ね合わせ面に表示された情報を確認した後は、廃棄されるか、再び折り重ね状態にして保管されるのが一般的である。このため、情報が確認された後の情報所持体を有効利用できないという不都合があった。
【発明の開示】
【発明が解決しようとする課題】
【０００５】
本発明は、このような事情に鑑みてなされたもので、情報確認後に有効利用できる情報所持体を提供することを目的とする。
【課題を解決するための手段】
【０００６】
この目的を達成するために、本発明に係る情報所持体は、折り部を介して連接された３枚以上の紙片が、前記折り部で折り重ねられ、折り重ね面の少なくとも周縁部分で剥離可能に接着されてなり、重ね合わせ面及び表出面には適宜な情報が表示されてなる情報所持体であって、表出面を形成する２枚の紙片には、折り部とは反対側の端縁の上下一方の隅部に剥離開始部を設け、前記各端縁から前記剥離開始部が位置する上下端の一方に向けて延びる互いに係脱可能に係止し得る切り込みを形成したもので、重ね合わせ面の情報を確認後には、切り込み同士を互いに係止することにより、多角筒状にして立てることができる。
【発明の効果】
【０００７】
本発明に係る情報所持体によれば、重ね合わせ面の情報を確認後には、切り込み同士を互いに係止することにより、多角筒状にして立てることができるので、表示された適宜な情報、例えばイラスト、写真など、を楽しんだり、重要な情報を容易に何度でも確認できる、という効果を奏する。
【発明を実施するための最良の形態】
【０００８】
以下、本発明を隠蔽葉書に適用した場合の好適な実施形態を添付図面に基づき説明する。ここにおいて、図１は隠蔽葉書の平面図、図２は同じく背面図、図３は重ね合わせ接着面を剥離した展開状態の平面図、図４は展開状態から三角筒状に組み立てた状態の斜視図である。
【０００９】
図１〜図３に示すように、隠蔽葉書１は、官製葉書大の上紙片２、中紙片３、下紙片４の３枚の紙片が折り部たる折り用ミシン目５，６を介して連接されてなる隠蔽葉書用シート７を、前記各折り用ミシン目５，６でＺ字状に、ジグザグに折り重ねて、重ねあわせ面に全面的に塗布した剥離可能な接着剤（図示せず）によって、これら重ね合わせ面を剥離可能に接着してなる。前記上紙片２の表出面には宛名人情報８が表示されるとともに、下端に沿った左下隅部を剥離開始部として接着力を弱め、ここに三角形状に色彩を施した剥離開始端表示９が設けられている。また、前記下紙片４の表出面には差出人情報１０が表示されるとともに、上端に沿った右上隅部を剥離開始部として接着力を弱め、ここに三角形状に色彩を施した剥離開始端表示１１が設けられている。
【００１０】
上紙片２の折り用ミシン目５と反対側の端縁は、剥離開始端表示９と反対の上端側において所定幅にわたって所定長切り欠かれ、前記剥離開始端表示９側の端縁１６ｂは、剥離開始端表示９とは反対の上端に向けて傾斜して、切り欠き端の直線部分の端縁１６ａと連続している。さらに、前記端縁１６ａから連続するように、切り込み１２が剥離開始端表示９を設けた下端に向けて直線的に設けられている。また、下紙片４の折り用ミシン目６と反対側の端縁は、剥離開始端表示１１と反対の下端側において所定幅にわたって所定長切り欠かれ、前記剥離開始端表示１１側の端縁１７ｂは、剥離開始端表示１１と反対の下端に向けて傾斜して、切り欠き端の直線部分の端縁１７ａと連続している。さらに、前記端縁１７ａから連続するように、切り込み１３が剥離開始端表示１１を設けた上端側に向けて直線的に設けられている。したがって、前記各切り込み１２，１３は、剥離開始部側から切り欠き端に向けて形成されるとともに、互いに係脱可能に係止し得るよう形成されている。
【００１１】
図３に示すように、中紙片３の下紙片４との重ね合わせ面には、２００８年９月のカレンダー情報１４が表示され、下紙片４の中紙片３との重ね合わせ面には、風景図情報１５が表示されている。また、図示してはいないが、上紙片２の中紙片３との重ね合わせ面には、差出人から宛名人に対する伝達情報が表示されている。
【００１２】
本実施形態は以上のように構成したので、図１及び図２状態の隠蔽葉書１を受領した宛名人は、各剥離開始端表示９，１１から上紙片２及び下紙片４を順次捲り上げて、中紙片３からそれぞれ剥離し、図３に示す展開状態にすることができる。このとき、各切り込み１２，１３部分における剥離は、各剥離開始端表示９，１１側から切り欠き端縁１６ａ，１６ｂ，１７ａ，１７ｂ側に向けて剥離されるので、各切り込み１２，１３部分から連続して各紙片２，４が破断されることはない。展開状態として、図示していない伝達情報を確認した宛名人は、隠蔽葉書用シート７を各折り用ミシン目５，６で折り曲げて平面三角形状にし、各切り込み１２，１３を互いに差し込むように係止して、図４に示す三角筒状に組み立て、机の上などの適所に載置することができる。
【００１３】
なお、本発明は、上述した実施形態に限定されるものではなく、例えば、隠蔽葉書１は３枚の紙片２，３，４に限らず、４枚、あるいはそれ以上の紙片を折り重ねたものでもよく、この紙片数に応じた多角形筒が形成される。また、折り重ねた重ね合わせ面は、全面的に剥離可能に接着するほか、少なくとも周縁部分が剥離可能に接着されていれば足りる。さらに、折り重ねはＺ字状にジグザグに行うほか、巻き込むようにしてもよい。さらにまた、本発明に係る情報所持体は、郵送する隠蔽葉書１に限らず、手渡しする広告文書でもよい。
【００１４】
また、切り込み１２，１３は、切り欠き端縁１６ａ，１７ａから連続するよう設けるほか、切り欠きを設けずに、折り用ミシン目５，６と反対側の端縁から直接設けてもよい。この場合も、各切り込み１２，１３部分における剥離は、各剥離開始端表示９，１１側から端縁側に向けて剥離されるよう形成する。したがって、この条件を満たすために、各切り込み１２，１３は、前記端縁や切り欠き端縁１６ａ，１７ａから直角方向に形成されたり、各剥離開始端表示９，１１側の上下端とは反対側に向けて形成されることはない。
【図面の簡単な説明】
【００１５】
【図１】隠蔽葉書の平面図。
【図２】隠蔽葉書の背面図。
【図３】隠蔽葉書の重ね合わせ接着面を剥離した展開状態を示す平面図。
【図４】展開した隠蔽葉書を三角筒状に組み立てた状態の斜視図。
【符号の説明】
【００１６】
１      隠蔽葉書
２      上紙片
３      中紙片
４      下紙片
５，６      折り用ミシン目
７      隠蔽葉書用シート
８      宛名人表示
９，１１      剥離開始端表示
１０      差出人表示
１２，１３      切り込み
１４      カレンダー情報
１５      風景画情報
【図１】
2010082947.tif 000003
【図２】
2010082947.tif 000004
【図３】
2010082947.tif 000005
【図４】
2010082947.tif 000006